(57)【要約】【課題】  カーソル上に波形データが圧縮表示されているかを容易に判別することができる波形表示装置を実現することを目的にする。【解決手段】  本発明は、被測定波形を測定した波形データを表示部に波形表示すると共に波形解析用のカーソルを表示する波形表示装置に改良を加えたものである。本装置は、波形データが時系列方向に圧縮表示されているかを示すアイコンを、表示部に表示するアイコン表示手段を設けたことを特徴とするものである。【選択図】                    図１
2005300408.tif 000002
【特許請求の範囲】
【請求項１】
被測定波形を測定した波形データを表示部に波形表示すると共に波形解析用のカーソルを表示する波形表示装置において、
前記波形データが時系列方向に圧縮表示されているかを示すアイコンを、前記表示部に表示するアイコン表示手段を設けたことを特徴とする波形表示装置。
【請求項２】
前記波形データが圧縮表示されている時に、前記カーソル上に存在する全ての波形データを数値表示する数値表示手段と
を設けたことを特徴とする請求項１記載の波形表示装置。
【請求項３】
被測定波形を測定した波形データを表示部に波形表示すると共に領域を指定するボックスを表示する波形表示装置において、
前記波形データが時系列方向に圧縮表示されているかを示すアイコンを、前記表示部に表示するアイコン表示手段と、
前記波形データが圧縮表示されている時に、前記ボックス内に存在する全ての波形データを数値表示する数値表示手段と
を設けたことを特徴とする波形表示装置。
【請求項４】
数値表示手段は、前記波形データを測定した日付、前記波形データを測定した時刻または振幅値の少なくとも１個を数値表示することを特徴とする請求項２または３記載の波形表示装置。
【請求項５】
数値表示手段は、数値表示する波形データで波形解析を行い、解析結果を表示することを特徴とする請求項２〜４のいずれかに記載の波形表示装置。
【発明の詳細な説明】
【技術分野】
【０００１】
本発明は、被測定波形を測定した波形データを表示部に波形表示すると共に波形解析用のカーソルを表示する波形表示装置に関し、詳しくは、カーソル上に波形データが圧縮表示されているかを容易に判別することができる波形表示装置に関するものである。
【背景技術】
【０００２】
オシロスコープやペーパレスレコーダ等の波形測定装置は、被測定波形を測定してデジタルデータに変換し、波形データとしてメモリに格納する。そして、波形表示装置が、波形データを波形測定装置の表示部に波形表示している。または、メモリ中の波形データを他の波形表示装置であるパソコンに転送し、パソコンの表示部に波形表示する。さらに波形表示装置は、カーソルで指定された位置における波形データの波形解析や、複数のカーソルで囲まれたボックスの領域内の波形データを拡大して波形表示している（例えば、特許文献１、特許文献２参照）。
【０００３】
図６は、従来の波形表示装置の表示例を示した図である。図６において、横軸は時系列方向の軸（つまり、時間軸）であり、縦軸は振幅である。そして、測定された時系列順に波形データが波形表示されている。なお、一例として１６点の波形データを、時系列方向に圧縮表示することなく波形表示している。そして、カーソルＣ１を着目する波形データ（図６中、７番目の波形データ）にあわせ、波形解析を行っている。波形解析としては、例えば、カーソルＣ１上の波形データの振幅値をカーソル値として表示する。
【０００４】
図７は、従来の波形表示装置のその他の表示例を示した図である。図７において、各軸は図６と同様なので説明を省略する。一般的に波形表示装置は、表示部に表示できる分解能に比べて、より細かい時間分解能で被測定波形をサンプリングした大容量の波形データを保存している。従って、波形データのデータ数が多くなると、波形データを時間軸方向に圧縮して波形表示する。例えば、横軸で表示できる分解能が１００１点ならば、表示される波形データの表示データ点数が１００１点までは圧縮されることなく波形表示されるが、それよりも多くなると圧縮して波形表示される。図７では、１００１０００点の波形データの全てを波形表示する例を示している。
【０００５】
このように圧縮表示されている場合、カーソルＣ１で指定される位置の波形解析は、カーソルＣ１上の複数の波形データ（１００１０００点／１００１点＝１０００点）の代表値をカーソル値Ｖ１として表示される。なお、代表値としては、カーソルＣ１上の１０００点の平均値、最大値、最小値等のいずれか１個が選ばれる。そして、画面の右上には表示されている波形データ点数が表示データ点数Ｖ２として表示される。
【０００６】
【特許文献１】特開２０００−３２１３０６号公報（段落番号０００２−０００４、第４−５図）
【特許文献２】特開２００３−３０２４２４号公報（段落番号０００２−０００６、第５−６図）
【発明の開示】
【発明が解決しようとする課題】
【０００７】
しかしながら、表示データ点数Ｖ２が横軸の分解能の値に近くなると、波形データが圧縮表示されているのかを判別することが難しくなる。そのため、カーソルＣ１上に１個の波形データが表示されているのか、複数個の波形データが圧縮表示されているのか判別することが難しいという問題があった。
【０００８】
また圧縮表示されている場合、カーソルＣ１上に何個の波形データが圧縮表示されているのか判別することが難しいという問題があった。
【０００９】
そこで本発明の目的は、カーソル上に波形データが圧縮表示されているかを容易に判別することができる波形表示装置を実現することにある。
【課題を解決するための手段】
【００１０】
請求項１記載の発明は、
被測定波形を測定した波形データを表示部に波形表示すると共に波形解析用のカーソルを表示する波形表示装置において、
前記波形データが時系列方向に圧縮表示されているかを示すアイコンを、前記表示部に表示するアイコン表示手段を設けたことを特徴とするものである。
【００１１】
請求項２記載の発明は、請求項１記載の発明において、
前記波形データが圧縮表示されている時に、前記カーソル上に存在する全ての波形データを数値表示する数値表示手段と
を設けたことを特徴とするものである。
【００１２】
請求項３記載の発明は、
被測定波形を測定した波形データを表示部に波形表示すると共に領域を指定するボックスを表示する波形表示装置において、
前記波形データが時系列方向に圧縮表示されているかを示すアイコンを、前記表示部に表示するアイコン表示手段と、
前記波形データが圧縮表示されている時に、前記ボックス内に存在する全ての波形データを数値表示する数値表示手段と
を設けたことを特徴とするものである。
【００１３】
請求項４記載の発明は、請求項２または３記載の発明において、
数値表示手段は、前記波形データを測定した日付、前記波形データを測定した時刻または振幅値の少なくとも１個を数値表示することを特徴とするものである。
【００１４】
請求項５記載の発明は、請求項２〜４のいずれかに記載の発明において、
数値表示手段は、数値表示する波形データで波形解析を行い、解析結果を表示することを特徴とするものである。
【発明の効果】
【００１５】
本発明によれば、以下のような効果がある。
請求項１、２、４、５によれば、波形データが時系列方向に圧縮表示されると、アイコン表示手段が圧縮表示中であることを示すアイコンを表示部に表示するので、圧縮表示されているかを容易に確認することができる。従って、波形解析を行うカーソル上に波形データが圧縮表示されているかを容易に判別することができる
【００１６】
請求項２によれば、波形データが圧縮表示されている時に、数値表示手段がカーソル上に存在する全ての波形データを数値表示するので、カーソル上の波形データの詳細を容易に確認することができる。これにより、何個の波形データがカーソル上に圧縮表示されているか容易に判別することができる。
【００１７】
請求項３〜５によれば、波形データが時系列方向に圧縮表示されると、アイコン表示手段が圧縮表示中であることを示すアイコンを表示部に表示する。そして、波形データが圧縮表示されている時に、数値表示手段がボックス内に存在する全ての波形データを数値表示する。これにより、圧縮表示されているかを容易に確認することができると共に、ボックス内の波形データの詳細を容易に確認することができる。これにより、何個の波形データがボックス内に圧縮表示されているか容易に判別することができる。
【００１８】
請求項５によれば、数値表示手段が数値表示している波形データのみを用いて波形解析を行って解析結果を表示するので、特徴的な波形データを容易に確認することができる。
【発明を実施するための最良の形態】
【００１９】
以下図面を用いて本発明の実施の形態を説明する。
［第１の実施例］
図１は、本発明の第１の実施例を示す構成図である。また、図２は、図１に示す装置の表示例を示した図である。ここで、図７と同一のものは同一符号を付し、説明を省略する。図１において、メモリ１０は、記憶部であり、被測定波形を測定した波形データが格納される。表示処理部２０は、アイコン表示手段２１、数値表示手段２２を有し、メモリ１０の波形データを読み出し、表示部３０に波形データを波形表示させると共に波形解析用のカーソルＣ１を表示させる。
【００２０】
アイコン表示手段２１は、波形データが時系列方向に圧縮表示されているかを示すアイコンＩ１を、波形データが波形表示されるウィンドウ内に表示する。数値表示手段２２は、波形データが圧縮表示されている時に、表示部３０に新たなウィンドウを表示し、カーソルＣ１上に存在する全ての波形データを数値表示する。
【００２１】
このような装置の動作を説明する。
表示処理部２０が、メモリ１０から波形データを読み出し、図２に示すように表示部３０に適当な大きさのウィンドウを作成して波形表示させる。なお、読み出す波形データのデータ数は、全データでもよく、または図示しない入力手段（例えば、キーボードやマウス等）からユーザが設定してもよい。そして、表示処理部２０が、カーソルＣ１で指定される時間軸上の位置における波形データの波形解析を行う。もちろん、圧縮表示されていない場合はカーソルＣ１で指定される位置の振幅値をカーソル値Ｖ１として表示し、図２に示すように圧縮表示されている場合は図７と同様にカーソルＣ１上の代表の振幅値をカーソル値Ｖ１として表示する。また、表示処理装置２０が、表示データ点数Ｖ２を表示する。ここまでの動作は、従来の波形表示装置と同様である。
【００２２】
そして、波形データが圧縮表示されると、アイコン表示手段２１が、例えば、カーソル値Ｖ１近傍に、圧縮表示中であることを示すアイコンＩ１を表示する。さらに、図示しない入力手段からアイコンＩ１がクリックされると、数値表示手段２２が、数値表示ウィンドウを表示部３０に新たに表示し、この数値表示ウィンドウでカーソルＣ１上に存在する全ての波形データの数値表示を行う。
【００２３】
ここで図３は、数値表示ウィンドウの表示例である。図３において、一番上の行には項目（Date[No.], チャネル番号等）が表示される。次の行からは、波形データの詳細な数値が１行ずつ時系列順に上から並べられて表示される。また、波形データごとに、波形データを測定した日付、波形データを測定した時刻、通し番号、振幅値（カーソル値）が表示される。ここで、日付、時刻を合わせてデータ時刻ＩＤと呼ぶ。
【００２４】
なお、数値表示ウィンドウにカーソルＣ１上の波形データを一度に表示できない場合は、スクロールバーを設け、スクロールさせることによって所望の波形データの数値を選択して表示できるようにするとよい。
【００２５】
また、数値表示手段２２が、数値表示ウィンドウで数値表示される波形データで波形解析、例えば、最大値や最小値の解析を行い、この解析結果に従って対象となる特徴的な波形データの行に目印のアイコンＩ２（図３中は、最小値を示している）を表示する。
【００２６】
このように、波形データが時系列方向に圧縮表示されると、アイコン表示手段２１が圧縮表示中であることを示すアイコンＩ１を表示部３０に表示するので、圧縮表示されているかを容易に確認することができる。従って、波形解析を行うカーソルＣ１上に波形データが圧縮表示されているかを容易に判別することができる
【００２７】
また、波形データが圧縮表示されている時にアイコンＩ１をクリックすると、数値表示手段２２がカーソルＣ１上に存在する全ての波形データを数値表示するので、カーソル値、データ時刻ＩＤ、通し番号、カーソル値等からカーソルＣ１上の波形データの詳細を容易に確認することができる。これにより、何個の波形データがカーソルＣ１上に圧縮表示されているか容易に判別することができる。
【００２８】
さらに、数値表示手段２２がカーソルＣ１上の波形データのみを用いて波形解析を行い、解析結果に従って目印のアイコンＩ２を表示するので、特徴的な波形データを容易に確認することができる。
【００２９】
［第２の実施例］
図１に示す装置は、カーソルＣ１上の波形データを数値表示する例を説明したが、波形表示装置では複数のカーソルで囲まれた矩形状のボックス内の波形データを拡大表示し、波形解析することも多い。このようなボックス内の波形データを数値表示してもよい。図４、図５を用いて説明する。図４は、圧縮された波形表示とボックス内の波形データを拡大して波形表示した表示例であり、図５は、圧縮された波形表示とボックス内の波形データを数値表示した表示例である。
【００３０】
このような装置の動作を説明する。なお、図２、図３の表示例と異なる部分を主に説明する。表示処理部２０が、メモリ１０から波形データを読み出し、波形表示させる。そして、表示処理部２０が、ボックスＢ１で指定される領域の波形データを拡大した拡大波形を圧縮表示された波形の下に表示する。ここまでの動作は、従来の波形表示装置における、拡大表示の動作と同様である。
【００３１】
そして、波形データが圧縮表示されると、アイコン表示手段２１が、例えば、カーソル値Ｖ１近傍に、圧縮表示中であることを示すアイコンＩ１を表示する。さらに、図示しない入力手段からアイコンＩ１がクリックされると、数値表示手段２２が、図５に示すように、拡大波形が表示されるウィンドウの代わりに数値表示ウィンドウを表示部３０に表示し、この数値表示ウィンドウでボックスＢ１内に存在する全ての波形データの数値表示を行う。なお、図５では、複数チャネル分の振幅値を表示しており、アイコンＩ２は所望のチャネルにおいて最小値となる波形データの行に表示されている。
【００３２】
このように、波形データが時系列方向に圧縮表示されると、アイコン表示手段２１が圧縮表示中であることを示すアイコンＩ１を表示部３０に表示する。そして、波形データが圧縮表示されている時にアイコンＩ１をクリックすると、数値表示手段２２がボックスＢ１内に存在する全ての波形データを数値表示する。これにより、圧縮表示されているかを容易に確認することができると共に、ボックスＢ１内の波形データの詳細を容易に確認することができる。これにより、何個の波形データがボックスＢ１内に圧縮表示されているか容易に判別することができる。
【００３３】
なお、本発明はこれに限定されるものではなく、以下のようなものでもよい。
数値表示手段２２が、波形データを測定した日付、波形データを測定した時刻、通し番号、振幅値の全てを数値表示ウィンドウに表示する例を示したが、少なくとも１個表示すればよい。
【００３４】
また、数値表示手段２２が、特徴的な波形データにアイコンＩ２を表示する例を示したが、アイコンを表示せずに特徴的な波形データが表示される行の色を変更してもよい。要は特徴的な波形データが表示される行を、他の行と区別できるように表示すればよい。
【００３５】
また、数値表示手段２２が、最小値、最大値の解析を行う構成を示したが、平均値や分散等を求め項目が表示される次の行に表示してもよい。例えば、Date[No.]の列の２行目に”Average”、３行目に”SDev”と表示し、カーソル値が表示される列の各行に平均値、分散を表示するとよい。なお、平均値、分散が表示される行は、スクロールしないようにするとよい。
【００３６】
また、カーソルＣ１上に存在する波形データを数値表示する数値表示手段２２を設ける構成を示したが、数値表示手段２２を設けなくともよい。
【００３７】
さらに、カーソルＣ１の太さを横軸の分解能の１点分と等しい場合を例として説明したが、カーソルＣ１の太さを複数点分の太さとしてもよい。
【図面の簡単な説明】
【００３８】
【図１】本発明の第１の実施例を示す構成図である。
【図２】表示部の表示例を示す図である。
【図３】数値表示ウィンドウの表示例を示す図である。
【図４】表示部のその他の表示例を示す図である。
【図５】圧縮表示と数値表示との表示例を示す図である。
【図６】従来の波形表示装置における表示部の表示例（圧縮せずに波形表示）を示す図である。
【図７】従来の波形表示装置における表示部のその他の表示例（圧縮表示）を示す図である。
【符号の説明】
【００３９】
２１  アイコン表示手段
２２  数値表示手段
３０  表示部
Ｂ１  ボックス
Ｃ１  カーソル
Ｉ１、Ｉ２  アイコン
【図１】
2005300408.tif 000003
【図６】
2005300408.tif 000004
【図２】
2005300408.tif 000005
【図３】
2005300408.tif 000006
【図４】
2005300408.tif 000007
【図５】
2005300408.tif 000008
【図７】
2005300408.tif 000009